(57)【要約】【課題】  瓦の軽量化と、棧山の特異性等を発揮するために、瓦の肉厚を薄くすること、又は棧山の形状に変化を加えること、等の手法が採られている。しかし、意図を達成するためには、改良すべき多々の改良点が必要となる。【解決手段】  鍵形の第１水返し突条を備えた瓦本体において、棧山表面は、山形樋形状を呈し、引掛片を備え、谷部の尻側重なり部に第２水返し突条と、併設するように膨出島部を形成し、また、差込み部表面に、高さが異なり、かつ流れ方向に向かった、第３水返し突条を設け、膨出島部を、第１水返し突条と、第２水返し突条の間に設ける構成の瓦であり、軽量の瓦を製作し、かつ従来の瓦との強度の遜色がない構造であって、かつ粘土の流動化が図れ、又は捩れ発生頻度・不良品発生頻度が少ない構造の和形瓦を提案できる。【選択図】      図１
2016011497.tif 000002
【特許請求の範囲】
【請求項１】
棧山と、谷部、及び差込み部を備え、並びに尻側端部から差込み部端部に亙って設けた鍵形の第１水返し突条を備えた瓦本体において、
前記棧山表面は、山形樋形状を呈し、前記谷部の尻側重なり部に、膨出形状の引掛片を形成するとともに、この谷部の尻側重なり部には、幅方向に向かった第２水返し突条と、この第２水返し突条に併設するように、その尻側に膨出島部を形成する構成とし、また、前記差込み部表面に、高さが異なり、かつ流れ方向に向かった、二条の第３水返し突条をそれぞれ設け、
前記膨出島部を、前記第１水返し突条と、前記第２水返し突条の間に設けることを特徴とした瓦。
【請求項２】
前記第２水返し突条と、前記第３水返し突条とには、切欠き部を形成し、水の戻りを助成する構成とした請求項１に記載の瓦。
【請求項３】
前記引掛片には、切欠き部を形成し、水の戻りを助成する構成とした請求項１に記載の瓦。
【請求項４】
前記棧山から前記差込み部に到る、幅寸法を、略３３０ｍｍとし、また、頭側から前記尻側に到る長さ寸法を、略３０５ｍｍとし、この幅寸法の中で、棧山から前記谷部に到る寸法は、従来の瓦の幅寸法を保持するとともに、この差込み側の幅寸法を拡大した構造の瓦本体とし、
この差込み側の幅寸法の拡大により、この谷部からの競上がりの緩やかな形状を確保し、この緩やかな形状を利用し、当該差込み側の表面に設けた前記第３水返し突条の膨出高さと、前記瓦本体の厚みとを、略均等にする構成とした請求項１に記載の瓦。
【請求項５】
前記棧山裏面に、乾燥パレットの棧側の脚の内側面に係止される突起を設ける構成とした請求項１に記載の瓦。
【発明の詳細な説明】
【技術分野】
【０００１】
本発明は、和形瓦（Ｊ形瓦）に関する。
【背景技術】
【０００２】
瓦の軽量化と、棧山の特異性等を発揮するために、当該瓦の肉厚を薄くすること、又は棧山の形状に変化を加えること、等の手法が採られている。しかしながら、この意図を達成するためには、改良すべき多々の改良点が必要となる。
【０００３】
その為の改良として、各種の瓦が提案されている。
【０００４】
瓦の肉厚を薄くする弊害解消として、谷部尻側を補強するものとして、例えば、特開平９−４１３５号公報、実開昭５５−６９５３２号公報等が挙げられる（文献（１）、（２）とする）。この構造は、水返しを平面視して、幅広とする。従って、成形時の粘土の流れ、又は焼成後の歪等において、新たな工夫と経験が必要とされるものと思量される。また、先行文献の幅広の膨出体積は、通常の水返し、及び本発明の膨出島部でなる、幅広の膨出体積より、大きくなることから、製造の際において、新たな問題、例えば、粘土の配合比調整、又は捩れ発生頻度・不良品発生頻度の増加が考えられる。
【０００５】
次に、差込み側に、多条の水返し突条を形成し、該部の葺合せ箇所からの雨仕舞いを確保する構造として、例えば、特開２０００−２７３７５号公報、特開２００２−１３２５０号公報等が挙げられる（文献（３）、（４）とする）。この構造は、谷部から、通常の勾配で、差込み側に到る構成であり、葺合せを考慮すると、水返し突条の高さが制限される。従って、葺合せ箇所からの雨仕舞いは、十分とは、考えられない処である。
【０００６】
【特許文献１】特開平９−４１３５号公報
【特許文献２】実開昭５５−６９５３２号公報
【特許文献３】特開２０００−２７３７５号公報
【特許文献４】特開２００２−１３２５０号公報
【発明の概要】
【発明が解決しようとする課題】
【０００７】
前述した文献（１）〜（４）においては、それぞれ従来の問題解決という要件は、達成しているものと考えられる。しかしながら、昨今では、問題解決を凌駕した更なる要望があり、文献（１）〜（４）では、この要望に、応え得るとは到底考えられない。
【０００８】
上記に鑑み、本発明は、［イ］  軽量の瓦を製作し、かつ従来の瓦との強度（葺設後において、人が谷部に乗ったと仮定した場合の破損か発生する危険性の数値を示した強度）の遜色がない構造であって、かつ粘土の流動化が図れ、又は捩れ発生頻度・不良品発生頻度が少ない構造、即ち、第１水返し突条とは、分離した膨出島部の構造を提案する。また、［ロ］  瓦葺設後において、差込み側と棧山との雨仕舞いの確保を図るために、棧山から差込み部に到る、幅寸法を、略３３０ｍｍとし、また、頭側から尻側に到る長さ寸法を、略３０５ｍｍとし、幅寸法の中で、棧山から谷部に到る寸法は、従来の瓦の幅寸法を保持するとともに、差込み側の幅寸法を拡大した構造の瓦本体とし、差込み側の幅寸法の拡大により、谷部からの競上がりの緩やかな形状を確保し、緩やかな形状を利用し、差込み側の表面に設けた第３水返し突条の膨出高さを確保できる構造の瓦を提供する。さらに、本発明は、［ハ］  幅寸法を、略３３０ｍｍとし、また、頭側から尻側に到る長さ寸法を、略３０５ｍｍとしたことで、例えば、３．３ｍ２あたりの枚数の減少化を図りつつ、屋根の軽量化に寄与する。
【課題を解決するための手段】
【０００９】
前記［イ］〜［ハ］を達成するために、請求項１〜請求項５を提供する。
【発明の効果】
【００１０】
請求項１の発明は、棧山と、谷部、及び差込み部を備え、並びに尻側端部から差込み部端部に亙って設けた鍵形の第１水返し突条を備えた瓦本体において、棧山表面は、山形樋形状を呈し、谷部の尻側重なり部に、膨出形状の引掛片を形成するとともに、谷部の尻側重なり部には、幅方向に向かった第２水返し突条と、第２水返し突条に併設するように、尻側に膨出島部を形成する構成とし、また、差込み部表面に、高さが異なり、かつ流れ方向に向かった、二条の第３水返し突条をそれぞれ設け、膨出島部を、第１水返し突条と、第２水返し突条の間に設ける構成の瓦であり、前記［イ］  軽量の瓦を製作し、かつ従来の瓦との強度（葺設後において、人が谷部に乗ったと仮定した場合の破損か発生する危険性の数値を示した強度）の遜色がない構造であって、かつ粘土の流動化が図れ、又は捩れ発生頻度・不良品発生頻度が少ない構造、即ち、第１水返し突条とは、分離した膨出島部の構造を提案できる。
【００１１】
請求項２の発明は、第２水返し突条と、第３水返し突条とには、切欠き部を形成し、水の戻りを助成する構の瓦であり、請求項１の目的を達成できること、又は瓦本体の表面側の雨仕舞いを達成できる。
【００１２】
請求項３の発明は、引掛片には、切欠き部を形成し、水の戻りを助成する構成の瓦であり、請求項１の目的を達成できること、又は瓦本体の尻側の葺合せ箇所からの雨仕舞いを達成できる。
【００１３】
請求項４の発明は、棧山から差込み部に到る、幅寸法を、略３３０ｍｍとし、また、頭側から尻側に到る長さ寸法を、略３０５ｍｍとし、幅寸法の中で、棧山から谷部に到る寸法は、従来の瓦の幅寸法を保持するとともに、差込み側の幅寸法を拡大した構造の瓦本体とし、
差込み側の幅寸法の拡大により、谷部からの競上がりの緩やかな形状を確保し、緩やかな形状を利用し、差込み側の表面に設けた第３水返し突条の膨出高さと、瓦本体（少なくとも、差込み側）の厚みとを、略均等にする構成の瓦であり、前記［ロ］  瓦葺設後において、差込み側と棧山との雨仕舞いの確保を図るために、棧山から差込み部に到る、幅寸法を、略３３０ｍｍとし、また、頭側から尻側に到る長さ寸法を、略３０５ｍｍとし、幅寸法の中で、棧山から谷部に到る寸法は、従来の瓦の幅寸法を保持するとともに、差込み側の幅寸法を拡大した構造の瓦本体とし、差込み側の幅寸法の拡大により、谷部からの競上がりの緩やかな形状を確保し、緩やかな形状を利用し、差込み側の表面に設けた第３水返し突条の膨出高さを確保できる構造の瓦を提供できる。また、［ハ］  幅寸法を、略３３０ｍｍとし、また、頭側から尻側に到る長さ寸法を、略３０５ｍｍとしたことで、例えば、３．３ｍ２あたりの枚数の減少化を図りつつ、屋根の軽量化に寄与できる。
【００１４】
請求項５の発明は、棧山裏面に、乾燥パレットの棧側の脚の内側面に係止される突起を設ける構成の瓦であり、請求項１の目的を達成できること、又は瓦を、乾燥パレットの上に、載置でき、かつ当該瓦の構造では、捩れ発生頻度・不良品発生頻度が少ない特徴がある。
【図面の簡単な説明】
【００１５】
【図１】本発明の瓦の平面図
【図２】本発明の瓦の平面斜視図
【図３】本発明の瓦の裏面斜視図
【図４】本発明の瓦を、屋根の流れ方向に葺設した状態の模式図
【図５】本発明の瓦を、屋根の棟方向に葺設した状態の模式図
【図６−１】図４の葺設状態を側面視した拡大側面図
【図６−２】図４のＡ−Ａ拡大断面図
【図６−３】図４のＢ−Ｂ拡大断面図
【図７】図５のＣ−Ｃ拡大断面図
【図８−１】乾燥パレット
【図８−２】乾燥パレットの脚部と、棧山裏面の突起との関係を示した正面拡大端面図
【図９】本発明の瓦を屋根に葺設した状態を示す俯瞰図
【発明を実施するための形態】
【００１６】
瓦１は、幅寸法Ｘを、略３３０ｍｍとし、また、後述する頭側から尻側に到る長さ寸法Ｙを、略３０５ｍｍとした構造であり、方形状の瓦本体２である。瓦本体２の周辺は、尻側２ａと、頭側２ｂ、及び棧側２ｃ、並びに差込み側２ｄと称する。
【００１７】
この瓦本体２は、表面２００に棧山３と、谷部４と、差込み部５とを備えている。棧山３は、断面視して、略樋形で、平坦頂面３ａを呈しており、両側に裾部３ｂ、３ｂを形成する。この平坦頂面３ａと両側の裾部３ｂ、３ｂを設けた瓦１に、照射する光の多面的な陰影を表現できる。この棧山３の内側裾部から谷部４が形成される。そして、谷部４に連設して差込み部５が形成されている。この差込み部５の幅寸法を、従来の瓦の差込み部の幅寸法より拡大することで、谷部４からの競上がりの緩やかな形状５００を確保する。この緩やかな形状５００の確保で、差込み側２ｄの第１ｂ水返し突条１０ｂの高さが高くなり、もって、雨仕舞いの向上が図れる。尚、この緩やかな形状５００を形成した構造では、強度の向上が図れることと、襟側２ｄ１までの肉厚を略均等にできること、等の利点がある。
【００１８】
そして、瓦本体２の表面２００には、それぞれの役割がある部材が形成されている。尻側２ａ端部（棧側２ｃ）から差込み部５端部（頭側２ｂ）に亙って設けた鍵形の第１水返し突条１０を備える。この第１水返し突条１０は、詳細には、尻側の第１ａ水返し突条１０ａと、差込み側２ｄの第１ｂ水返し突条１０ｂとで構成する。また、
表面２００において、尻側２ａには、第１ａ水返し突条１０ａの内側には、隙間イを持って（第１ａ水返し突条１０ａに離間して）膨出島部１１を形成する。また、膨出島部１１は、尻側２ａに設けた切欠き部を備えた第２水返し突条１２と離間する。このように、膨出島部１１は、単独の膨出形状であり、粘土の流動化と、第１ａ水返し突条１０ａ・膨出島部１１・第２水返し突条１２、並びに瓦本体２等の形状確保に有効である。
【００１９】
図中１３は、切欠き部を備えた係止片で、上の瓦１−１の頭側２ｂ（符号は、共通とする）が衝止する。即ち、上の瓦１−１、及び／又は、瓦１のズレ防止である。
【００２０】
また、表面２００において、棧山３の尻側２ａの裾部３ｂの上には、引掛片１５を備えており、係止片１３と同じ機能と、特徴がある。
【００２１】
表面２００において、差込み側２ｄには、第１水返し突条１０の第１ｂ水返し突条１０ｂの内側（谷部４側）に向かって、切欠き部を備えた二条の第３水返し突条１６が形成されている。そして、前述の如く、差込み部５の幅寸法を、従来の瓦の差込み部の幅寸法より拡大することで、谷部４からの競上がりの緩やかな形状５００を確保したことにより、この第３水返し突条１６の高さ（表面２００よりの高さ）を、高く形成し、雨仕舞いの向上を図る。
【００２２】
そして、裏面２０１において、棧山３には、突条１７を形成し、乾燥パレット２０の脚杆２０ａの上に係止兼載架用の凸部として利用する。これにより、例えば、焼成精度・歩留まりの向上が期待できる。図８−１と、図８−２とにおいて、開示している。尚、前記特徴を発揮するには、棧山３の谷の曲面形状に工夫、例えば、緩やか形状が望ましい。
【００２３】
図中２０２は尻側２ａの重なり部、２０３は差込み側２ｄの重なり部を示している。
【００２４】
続いて、図４〜図７、並びに図９を参考として、瓦１〜瓦１−２の葺設を説明する。瓦１の重なり部２０２を利用して、上の瓦１−１を被せ葺きすると、瓦１の係止片１３に、上の瓦１−１の頭側２ｂ端面が衝止し、図示しない瓦棧とを介して、所定の箇所に葺き上げられる。この際に、瓦１の第２水返し突条１２と、膨出島部１１は、上の瓦１−１の頭側２ｂの下に位置する（図６−１と図６−２を参照）。雨仕舞いは、第２水返し突条１２と、膨出島部１１、並びに第１水返し突条１０と、及び葺き勾配で達成する。また、この葺合せ箇所に、人が乗った場合には、膨出島部１１を始めとして、第２水返し突条１２と、並びに第１水返し突条１０とにより担持する。また、引掛片１５には、上の瓦１−１の頭側２ｂが衝止する。この係止片１３と、引掛片１５、又は第３水返し突条１６の各尻端面との衝止で、上の瓦１−１の葺設位置が固定される。係止片１３は、対の第２水返し突条１２の隙間に位置し、粘土の流れを保証するとともに、頭部２ｂが重なり葺かれる空間を確保する。尚、図示しないが、瓦１等を釘で位置固定することは、当然と考える。
【００２５】
次に、瓦１の重なり部２０３を利用して、右の瓦１−２を被せ葺きすると、瓦１の谷部４の方にある第３水返し突条１６に、右の瓦１−２の棧側２ｃ端面が衝止し、図示しない瓦棧とを介して、所定の箇所に葺き上げられ、右の瓦１−２の葺設位置が固定される。この際に、差込み側２ｄの方にある第３水返し突条１６と、第１水返し突条１０に、右の瓦１−２の棧山３が被せ葺きされるとともに、第３水返し突条１６の端面と、右の瓦１−２の棧側２ｃ端面の衝止で、右の瓦１−２の位置と、横ズレ防止、並びに前記葺設位置が固定される。尚、図示しないが、右の瓦１−２等を釘で位置固定することは、当然と考える。
【００２６】
以上のようにして、順次、葺設することで、図９の状態となり、屋根の瓦１等が葺かれる。
【００２７】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。また、原則として、和形瓦で説明したが、同じ構造を採用できる、図示しない、他の瓦にも実施可能である。この他の瓦は、本発明の範疇である。
【符号の説明】
【００２８】
１  瓦
１−１  上の瓦
１−２  右の瓦
２  瓦本体
２ａ  尻側
２ｂ  頭側
２ｃ  棧側
２ｄ  差込み側
２ｄ１  襟側
２０  乾燥パレット
２０ａ  脚杆
２００  表面
２０１  裏面
２０２  重なり部
２０３  重なり部
３  棧山
３ａ  平坦頂面
３ｂ  裾部
４  谷部
５  差込み部
５００  競上がりの緩やかな形状
１０  第１水返し突条
１０ａ  第１ａ水返し突条
１０ｂ  第１ｂ水返し突条
１１  膨出島部
１２  第２水返し突条
１３  係止片
１５  引掛片
１６  第３水返し突条
１７  突条
イ  隙間
【図１】
2016011497.tif 000003
【図２】
2016011497.tif 000004
【図３】
2016011497.tif 000005
【図４】
2016011497.tif 000006
【図５】
2016011497.tif 000007
【図６−１】
2016011497.tif 000008
【図６−２】
2016011497.tif 000009
【図６−３】
2016011497.tif 000010
【図７】
2016011497.tif 000011
【図８−１】
2016011497.tif 000012
【図８−２】
2016011497.tif 000013
【図９】
2016011497.tif 000014